(57)【要約】【課題】ケーブルモデムや、ケーブルモデムを内蔵するセットトップボックスにおいて、パケットキャプチャ機能を用いて指定パケットを抽出する際の処理負荷の軽減、及びスループットの向上を図る。【解決手段】ケーブルモデム部３０は、ＳＮＭＰパケットが含まれる自装置宛（宛先ＭＡＣアドレスがケーブルモデム部３０の固有アドレス）の受信パケットのみをスヌープ処理部１３４による処理の対象としてＳＮＭＰパケットを抽出する。ＳＮＭＰプロシキ処理部１３６は、抽出したＳＮＭＰパケットがケーブルモデム部３０に接続された接続機器等の情報を要求するものである場合には、これを接続機器等に転送し、その応答を管理装置に返送することで代理応答し、当該ケーブルモデム部３０の情報を要求するものである場合には、ＳＮＭＰエージェント機能を実現するＣＭ処理部１３２に処理を実行させる。【選択図】図２
2007274574.tif 000002
【特許請求の範囲】
【請求項１】
ＣＡＴＶ網に接続される第１のポートと、
前記ＣＡＴＶ網を介した通信を行う１乃至複数の端末が接続される１乃至複数の第２のポートと、
少なくとも前記第１のポートを介して受信した受信パケットを、該受信パケットに付与されたＭＡＣアドレスに従って、該ＭＡＣアドレスを有した端末が存在する第２のポートに中継すると共に、自装置宛の受信パケットを抽出するブリッジ手段と、
前記ブリッジ手段により抽出された自装置宛の受信パケットに基づいて、予め設定された通常処理を実行するパケット処理手段と、
前記受信パケットのデータ部に示された情報を参照して、前記受信パケットの中から予め指定された指定パケットを抽出するパケットキャプチャ手段と、
を備えたケーブルモデムにおいて、
前記パケットキャプチャ手段は、前記ブリッジ手段により抽出された自装置宛の受信パケットの中から前記指定パケットを抽出するように設定され、
更に、
前記指定パケットについて、前記通常処理とは異なる例外処理を実行する例外処理実行手段と、
前記パケットキャプチャ手段が抽出した指定パケットを、該指定パケットが例外処理の対象となるものであれば前記例外処理手段に、それ以外であれば前記パケット処理手段に処理させる振分手段と、
を設けたことを特徴とするケーブルモデム。
【請求項２】
前記指定パケットがＳＮＭＰパケットであり、前記通常処理が自装置に対するＳＮＭＰパケットについて応答するＳＮＭＰエージェントとしての機能を実現する処理、前記例外処理が前記第２のポートに接続された端末に対するＳＮＭＰパケットについて代理応答するＳＮＭＰプロキシエージェントとしての機能を実現する処理であることを特徴とする請求項１に記載のケーブルモデム。
【請求項３】
請求項２に記載のケーブルモデムと、
ＣＡＴＶ網を介して伝送されてくる放送を受信する放送受信部と、
を備え、前記例外処理手段は、少なくとも前記放送受信部に対するＳＮＭＰパケットについて代理応答することを特徴とするセットトップボックス。
【発明の詳細な説明】
【技術分野】
【０００１】
本発明は、指定されたパケットを宛先（ＭＡＣアドレスの内容）によらずに抽出する機能を有したケーブルモデム、及びそのようなケーブルモデムを内蔵するセットトップボックス、特に、内蔵するケーブルモデムがＳＮＭＰプロキシエージェントとしての機能を有するセットトップボックスに関する。
【背景技術】
【０００２】
従来より、ＣＡＴＶ網に接続されるケーブルモデム（ＣＭ：Cable Modem ）やＣＭモジュールを内蔵する双方向セットトップボックス（ＳＴＢ：Set Top Box ）の持つ情報、更には、ケーブルモデムに接続された端末やＣＭモジュールと共にセットトップボックスに内蔵される放送受信部（以下、総称して「接続機器等」という）の持つ情報を、簡易ネットワーク管理プロトコル（ＳＮＭＰ：Simple Network Management Protocol）を用いて集中的に監視・制御することが行われている。
【０００３】
また、ケーブルモデムやＣＭモジュール（以下、総称する場合「ケーブルモデム等」という）にＳＮＭＰプロキシエージェントの機能を付加して、接続機器等が持つ情報を、ケーブルモデム等に代理応答（プロシキ）させることにより、管理装置側では、ケーブルモデム等に問い合わせるだけで、接続機器等が持つ情報を簡単に取得できるようにしたものも知られている。
【０００４】
この場合、具体的には、ケーブルモデム等が持つ管理情報ベース（ＭＩＢ：Management
Information Base ）のオブジェクトＩＤの一部を接続機器等のために割り当てておき、これに該当するオブジェクトＩＤの情報を対象とするＳＮＭＰパケットをケーブルモデム等が受信した場合に、ケーブルモデム等が管理装置の代わりに接続機器等から情報を収集し、その収集した情報を接続機器等の代わりに応答している。
【０００５】
ところで、通常のＳＮＭＰエージェントとしての機能が実装されているケーブルモデム等の場合、プロキシする必要のある（即ち、接続機器等の情報を要求する）ＳＮＭＰパケットを受信しても、要求されている情報を取得することができず、誤った応答を返すことになる。
【０００６】
このため、この実装されている機能を有効利用しようとした場合、ＳＮＭＰエージェントとしての機能を実現する処理モジュールにＳＮＭＰパケットが到達する前に、何等かの方法でプロキシすべきＳＮＭＰパケットを抽出して、これを、別途設けられたＳＮＭＰプロシキエージェントとしての機能を実現する処理モジュールに処理させる必要がある。
【０００７】
これを実現する一つの方法として、パケットの監視等を行うために設けられたパケットキャプチャ（スヌープ）機能（例えば、特許文献１参照）を用いることが考えられる。
【特許文献１】特開２００２−１５８６９３号公報
【発明の開示】
【発明が解決しようとする課題】
【０００８】
しかし、このパケットキャプチャ機能は、ケーブルモデムを通過する全てのパケットを監視するように構成されており、しかも、指定されたパケットであるか否かを識別するためにパケットのデータ部を調べる必要があることから、パケットのアドレス部だけでなくデータ部も一時的にバッファに保持する必要がある。
【０００９】
このため、全てのパケットに大きな遅延が発生することになり、スループットが大幅に低下してしまうという問題や、パケットキャプチャ機能を用いることでケーブルモデムの負荷も増大してしまうという問題があった。
【００１０】
本発明は、上記問題点を解決するために、ケーブルモデムや、ケーブルモデムを内蔵するセットトップボックスにおいて、パケットキャプチャ機能を用いて指定パケットを抽出する際の処理負荷の軽減、及びスループットの向上を図ることを目的とする。
【課題を解決するための手段】
【００１１】
上記目的を達成するためになされた請求項１に記載の発明は、ＣＡＴＶ網に接続される第１のポートと、前記ＣＡＴＶ網を介した通信を行う１乃至複数の端末が接続される１乃至複数の第２のポートと、少なくとも前記第１のポートを介して受信した受信パケットを、該受信パケットに付与されたＭＡＣアドレスに従って、該ＭＡＣアドレスを有した端末が存在する第２のポートに中継すると共に、自装置宛の受信パケットを抽出するブリッジ手段と、前記ブリッジ手段により抽出された自装置宛の受信パケットに基づいて、予め設定された通常処理を実行するパケット処理手段と、前記受信パケットのデータ部に示された情報を参照して、前記受信パケットの中から予め指定された指定パケットを抽出するパケットキャプチャ手段と、を備えたケーブルモデムにおいて、前記パケットキャプチャ手段は、前記ブリッジ手段により抽出された自装置宛の受信パケットの中から前記指定パケットを抽出するように設定され、更に、前記指定パケットについて、前記通常処理とは異なる例外処理を実行する例外処理実行手段と、前記パケットキャプチャ手段が抽出した指定パケットを、該指定パケットが例外処理の対象となるものであれば前記例外処理手段に、それ以外であれば前記パケット処理手段に処理させる振分手段と、を設けたことを特徴とする。
【００１２】
請求項２に記載の発明は、請求項１に記載のケーブルモデムにおいて、前記指定パケットがＳＮＭＰパケットであり、前記通常処理が自装置に対するＳＮＭＰパケットについて応答するＳＮＭＰエージェントとしての機能を実現する処理、前記例外処理が前記第２のポートに接続された端末に対するＳＮＭＰパケットについて代理応答するＳＮＭＰプロキシエージェントとしての機能を実現する処理であることを特徴とする。
【００１３】
請求項３に記載の発明は、セットトップボックスであって、請求項２に記載のケーブルモデムと、ＣＡＴＶ網を介して伝送されてくる放送を受信する放送受信部と、を備え、前記例外処理手段は、少なくとも前記放送受信部に対するＳＮＭＰパケットについて代理応答することを特徴とする。
【発明の効果】
【００１４】
請求項１に記載のケーブルモデムによれば、指定パケットである可能性がある自装置宛の受信パケットのみをパケットキャプチャ手段による処理の対象としているため、パケットキャプチャ手段（ひいてはケーブルモデム）の処理負荷を軽減することができると共に、第２のポートに中継される受信パケットに、不必要な遅延を与えてしまうことがないため、スループットを向上させることができる。
【００１５】
請求項２に記載のケーブルモデム及び請求項３に記載のセットトップボックスによれば、ケーブルモデムに実装されている通常のＳＮＭＰエージェントの機能、及びパケットキャプチャ（スヌープ）の機能を有効に利用して、ＳＮＭＰプロキシエージェントとしての機能を追加することができる。
【発明を実施するための最良の形態】
【００１６】
以下に本発明の実施形態を図面と共に説明する。
（１）全体構成
図１は、本発明が適用されたセットトップボックス（ＳＴＢ）を用いて構成されたＣＡＴＶシステムの全体構成を示すブロック図である。
【００１７】
図１に示すように、ＣＡＴＶシステムは、ＣＡＴＶセンタ１、ＣＡＴＶ網Ｎ１を介してＣＡＴＶセンタ１と接続されたセットトップボックス３などにより構成されている。
ＣＡＴＶセンタ１は、管理装置１０１，ＤＨＣＰサーバ１０３，ルータ１０５，ケーブルモデム終端装置（ＣＭＴＳ；Cable Modem Termination System）１０７などがハブ１０９にて接続されてなるネットワーク管理部１０と、放送サービスを行うための放送サービス管理部（いわゆるヘッドエンド）１２、からなり、これらが混合器１４を介してＣＡＴＶ網Ｎ１に接続されている。
【００１８】
これらのうち、管理装置１０１は、制御部，記憶部，通信部などからなる周知のコンピュータシステムにより構成されたものであり、ＣＡＴＶ網Ｎ１を介して接続されるセットトップボックス３（または後述のテレビ受像器５）に関する関連情報を、簡易ネットワークプロトコル（ＳＮＭＰ）を用いて収集する、いわゆるＳＮＭＰマネージャとしての処理を少なくとも実行する。
【００１９】
なお、本実施形態において「関連情報」とは、セットトップボックス３を介して試聴するチャネルが選択された履歴、選択されたチャネルにおける信号レベル、セットトップボックス３に至る伝送経路のＳＮ比やビットエラーレートなど品質情報、セットトップボックス３におけるソフトウェア（ファームウェア）のバージョンなどを示すステータス情報を少なくとも含んでいる。つまり、これら関連情報が管理情報ベース（ＭＩＢ）のオブジェクトとされている。
【００２０】
また、ＤＨＣＰサーバ１０３は、制御部，記憶部，通信部などからなる周知のコンピュータシステムにより構成されたものであり、ＤＨＣＰ（Dynamic Host Configuration Protocol ）に従ってセットトップボックス３（後述するケーブルモデム部３０および放送受信部４０）にＩＰアドレスを付与するための処理を実行する。
【００２１】
また、ルータ１０５は、制御部，記憶部，通信部などからなる周知のルータであり、ネットワーク管理部１０をインターネットＮ２と双方向通信可能に接続する。
また、ケーブルモデム終端装置１０７は、混合器１４を介してネットワーク管理部１０をＣＡＴＶ網Ｎ１と双方向通信可能に接続する。
（２）セットトップボックスの構成
ここで、図２は、セットトップボックス３の構成を示すブロック図である。
【００２２】
図２に示すように、セットトップボックス３は、ＣＡＴＶ網Ｎ１を介してＣＡＴＶセンタ１と接続されたケーブルモデム（ＣＭ）部３０、ケーブルモデム部３０を介してＣＡＴＶ網Ｎ１と双方向通信可能に接続される放送受信部４０、ＣＡＴＶ網からの下り信号を、ケーブルモデム部３０及び放送受信部４０に分配すると共に、ケーブルモデム部３０からの上り信号をＣＡＴＶ網に出力する混合／分波器５０により構成されている。
【００２３】
このうち、放送受信部４０は、複数のＲＦ受信部４１，受信管理部４３，映像／音声処理部４５などからなり、テレビ受像器（ＴＶ）５が接続された状態で使用され、セットトップボックスの本来の機能を実現するものである。
【００２４】
そして、ＲＦ受信部４１は、受信回路，チューナ，復調回路などからなり、混合／分波
器５０から供給される下り信号の中から指定されたチャンネルの信号を抽出し、映像信号や音声信号に復調する。
【００２５】
また、受信管理部４３は、制御部，記憶部，通信部などからなる周知のマイクロコンピュータにより構成されたものであり、各ＲＦ受信部４１で抽出，復調された映像信号や音声信号を、外部からの指令に従って選択して、映像／音声処理部４５に供給する。また、上述した関連情報を収集して、これらを管理情報ベース（ＭＩＢ）に保存すると共に、ケーブルモデム部３０からの要求に応じて、関連情報の通知や変更を行い、ケーブルモデム部３０に対して応答を送信する処理を実行する。
【００２６】
また、映像／音声処理部４５は、受信管理部４３を介して供給される映像信号や音声信号を、受信管理部４３からの指令に従って編集して、テレビ受像器５に供給する。
一方、ケーブルモデム部３０は、ＲＦ受信部３１，ＲＦ送信部３３，ＣＭ管理部３５，ＬＡＮインターフェース部３７，ＵＳＢインターフェース部３９を備え、ＬＡＮインターフェース部３７やＵＳＢインターフェース部３９に接続された端末や機器、又は放送受信部４０によるＣＡＴＶ網Ｎ１を介した双方向通信を可能とする機能を有するものである。なお、ＬＡＮインターフェース部３７およびＵＳＢインターフェース部３９は、いずれか一方または両方が省略されていてもよい。
【００２７】
そして、ＲＦ受信部３１は、上述した放送受信部４０のＲＦ受信部４１と同様に構成され、下り信号の中から通信用チャンネルの信号を抽出し、デジタルデータに復調してＣＭ管理部３５に供給する。
【００２８】
また、ＲＦ送信部３３は、変調回路，送信回路などからなり、ＣＭ管理部３５から供給されるデジタルデータを変調し、通信用チャンネルの周波数に変換して送信する。
また、ＣＭ管理部３５は、ブリッジ処理部１３０，ＣＭ処理部１３２，スヌープ処理部１３４，ＳＮＭＰプロシキ処理部１３６などからなり、周知のケーブルモデムとして機能するものである。
【００２９】
そして、ブリッジ処理部１３０は、送受信データを一時的に保持するバッファ回路および論理回路により構成され、ケーブルモデム部３０を介した通信を、ＭＡＣ（Media Access Control）アドレスに従って中継する機能、即ち、ＯＳＩ（Open System Interconnection reference model ）参照モデルにおけるデータリンク層のレベルで中継する機能（いわゆるブリッジとしての機能）を有している。
【００３０】
なお、放送受信部４０、インターフェース部３７，３９に接続される端末や機器（以下、これらを総称して「接続機器等」という）、及びケーブルモデム部３０には、それぞれＤＨＣＰサーバ１０３により付与されるＩＰアドレスおよび固有のＭＡＣアドレス（以降、「固有アドレス」という）とは別に、これらの間でのみ有効となる別のＩＰアドレスおよびＭＡＣアドレス（以降、「ローカルアドレス」という）が設定されており、これらローカルアドレスは、あらかじめ相互に登録（メモリに記憶）された状態となっている。これにより、ケーブルモデム部３０と放送受信部４０との間には、ローカルアドレスによって、ＣＡＴＶセンタ１に至る経路で形成されたネットワークから独立した仮想的なネットワークが形成されている。
【００３１】
そして、ブリッジ処理部１３０は、ＭＡＣアドレスが固有アドレスである場合には、ＣＡＴＶ網Ｎ１側と接続機器側との間の双方向の中継を行い、ＭＡＣアドレスがローカルアドレスである場合には、ＣＡＴＶ網Ｎ１側に中継しないように設定されている。また、Ｍ
ＡＣアドレスが、ケーブルモデム部３０に割り当てられた固有アドレス又はローカルアドレスである場合には、これを抽出して、ＣＭ管理部３５内で処理するように設定されている。
【００３２】
また、ＣＭ管理部３５は、ブリッジ処理部１３０以外に、制御部，記憶部，通信部などからなる周知のマイクロコンピュータを備えており、ＣＭ処理部１３２、スヌープ処理部１３４，ＳＮＭＰプロシキ処理部１３６は、このマイクロコンピュータが実行する処理により実現される。
【００３３】
このうち、ＣＭ処理部１３２は、ケーブルモデム部３０に関する情報、及び接続機器等が持つ情報を４０が管理するためのＭＩＢを備えている。そして、図３（ａ）に示すように、ケーブルモデム部３０のＭＩＢでは、ケーブルモデム部３０に関する情報（オブジェクト）に、先頭が「１．」であるオブジェクトＩＤが付与され、接続機器等が持つ情報に、先頭が「２．」であるオブジェクトＩＤが付与されている。但し、接続機器等が持つ情報については、オブジェクトＩＤが付与されているだけで、その実体（オブジェクト）は、接続機器等が保持するようにされている。
【００３４】
そして、ＣＭ処理部１３２は、ＤＨＣＰに従って上述したＤＨＣＰサーバ１０３から付与されたＩＰアドレスを自己のＩＰアドレスとして設定する処理や、ＳＮＭＰを用いた管理装置１０１からの要求（ＳＮＭＰパケット：ＳＮＭＰ−Ｇｅｔパケット，ＳＮＭＰ−ＧｅｔＮｅｘｔパケット，ＳＮＭＰ−Ｓｅｔパケット等）に応じて、ＭＩＢに登録されたオブジェクトの通知または変更を行う、いわゆるＳＮＭＰエージェントとしての処理を少なくとも実行する。
【００３５】
また、スヌープ処理部１３４は、ブリッジ処理部１３０で抽出されたケーブルモデム部３０宛（固有アドレス，ローカルアドレス）のパケットの中からＳＮＭＰパケット（即ち、ＵＤＰが用いられ宛先ポート番号が１６１番であるもの）を抽出して、ＳＮＭＰプロシキ処理部１３６に供給し、その他のパケットについてはＣＭ処理部１３２が処理を実行する。
【００３６】
そして、ＳＮＭＰプロシキ処理部１３６は、ＳＮＭＰパケットがＣＡＴＶ網Ｎ１を介して受信されたもの（固有アドレスが用いられているもの）である場合、ＳＮＭＰパケットが通知や変更の対象として要求しているオブジェクトＩＤを調べ、このオブジェクトＩＤが「１．」で始まるもの（ケーブルモデム部３０が保持するオブジェクトに付与されたもの）であれば、これをＣＭ処理部１３２に渡して、ＣＭ処理部１３２に通常のＳＮＭＰエージェントとしての処理を実行させる。また、オブジェクトＩＤが「２．」で始まるもの（接続機器等が保持するオブジェクトに付与されたもの）であれば、ローカルアドレスを用いてＳＮＭＰパケットを接続機器等に転送する。
【００３７】
一方、ＳＮＭＰパケットが、接続機器等から受信されたもの（ローカルアドレスが用いられているもの）である場合、先に接続機器等側に転送したＳＮＭＰパケットに対応するものである場合のみ、そのＳＮＭＰパケットを、固有アドレスを用いてＣＡＴＶ網Ｎ１側に転送する。
（３）ケーブルモデム部や接続機器等から情報を獲得する動作について
ここで、ＣＡＴＶセンタ１の管理装置１０１が、ケーブルモデム部３０又は接続機器等が保持する情報（関連情報等）を収集する際の動作を、図３を参照して説明する。
【００３８】
まず、管理装置１０１は、情報を収集するタイミング（例えば、一定の時刻やオペレータの操作時）となった際、ケーブルモデム部３０に対して、情報を要求する旨のＳＮＭＰパケット（ＳＮＭＰ−Ｇｅｔパケット又はＳＮＭＰ−ＧｅｔＮｅｘｔパケット）を送信し
、ケーブルモデム部３０から返信されてくるＳＮＭＰパケット（ＳＮＭＰ−Ｒｅｓｐｏｎｃｅ）を受信するまで待機する。
【００３９】
このとき、送信するＳＮＭＰパケットには、ＣＡＴＶセンタ１側で管理されているケーブルモデム部３０のＩＰアドレス（ＤＨＣＰサーバ１０３により付与されたもの）やＭＡＣアドレス、即ち、固有アドレスが付与され、ＣＡＴＶ網Ｎ１を介してケーブルモデム部３０に送信される。
【００４０】
次に、ケーブルモデム部３０は、管理装置１０１からのＳＮＭＰパケットを受信すると、取得の対象となる情報（オブジェクト）のオブジェクトＩＤを調べ、オブジェクトＩＤが「１．＊」である場合、自身が保持するＭＩＢからオブジェクトを読み出して、これを応答用のＳＮＭＰパケット（ＳＮＭＰ−Ｒｅｓｐｏｎｃｅ）を用いて返送する。このとき、返送するＳＮＭＰパケットには、固有アドレスが付与される。
【００４１】
一方、オブジェクトＩＤが「２．＊」である場合、このＳＮＭＰパケットを、そのオブジェクトＩＤで表されるオブジェクトを保持する接続機器等（ここでは放送受信部４０とする）に転送した後、放送受信部４０からの返信を受けるまで待機する。このとき、転送するＳＮＭＰパケットには、ローカルアドレスが付与される。
【００４２】
次に、放送受信部４０が、ケーブルモデム部３０からのＳＮＭＰパケットを受信すると、指定されたオブジェクトＩＤに対応するオブジェクト（関連情報）をＭＩＢから読み出して、これを応答用のＳＮＭＰパケット（ＳＮＭＰ−Ｒｅｓｐｏｎｃｅ）を用いてケーブルモデム部３０に返送する。このとき、返送するＳＮＭＰパケットには、ローカルアドレスが付与される。
【００４３】
次に、ケーブルモデム部３０が、放送受信部４０からＳＮＭＰパケットの返信を受けると、先に放送受信部４０に対して送信したＳＮＭＰパケットに対応するものである場合にのみ、このＳＮＭＰパケットを管理装置１０１に転送する。このとき、転送するＳＮＭＰパケットには、固有アドレスが付与される。
【００４４】
そして、管理装置１０１が、ケーブルモデム部３０からの返信を受け、この返信からオブジェクトを抽出した後、こうして抽出したオブジェクトを管理するための処理（内蔵する記憶部への保存、関連情報の集計など）を行う。
【００４５】
つまり、ケーブルモデム部３０は、管理装置１０１から接続機器等が保持する情報を通知又は変更する要求（ＳＮＭＰパケット）を受信した場合、管理装置１０１の代理で接続機器等（放送受信部４０）に通知又は変更を要求し、その要求に対する応答を、接続機器等の代理で管理装置１０１に送信するように構成されている。
（４）効果
以上説明したように、本実施形態のセットトップボックス３によれば、ケーブルモデム部３０は、ＳＮＭＰパケットが含まれる自装置宛（宛先ＭＡＣアドレスがケーブルモデム部３０の固有アドレス）の受信パケットのみをスヌープ処理部１３４による処理の対象としているため、スヌープ処理部１３４（ひいてはケーブルモデム部３０）の処理負荷を軽減することができると共に、接続機器等に中継される他のパケット（宛先ＭＡＣアドレスが接続機器等の固有アドレスであるパケット）に、不必要な遅延を与えてしまうことがないため、これら中継すべきパケットのスループットを向上させることができる。
【００４６】
また、本実施形態のセットトップボックス３によれば、ケーブルモデム部３０を構成する際に、一般的なケーブルモデムに実装されているＳＮＭＰエージェント機能、及びスヌープ（パケットキャプチャ）機能を有効に利用することができ、しかも、スヌープの対象
を変更することで、ケーブルモデム部３０でのスループットを低下させることなく、ＳＮＭＰプロキシエージェント機能を付加することができる。
【００４７】
なお、セットトップボックス３を用いてスループットを測定する実験を行ったところ、全てのパケットをスヌープの対象とする従来装置において、スヌープ機能をオフにした時と同程度のスループットを得ることができ、従来装置と比較してスループットが３倍（１２Ｍｂｐｓ→３５Ｍｂｐｓ）に改善された。
（５）変形例
以上、本発明の一実施形態について説明したが、本発明は、上記実施形態に何ら限定されることはなく、本発明の技術的範囲に属する限り種々の形態をとり得ることはいうまでもない。
【００４８】
例えば、上記実施形態においては、ケーブルモデム終端装置１０７に接続されたセットトップボックス３が１台だけとなっている構成を例示したが、ケーブルモデム終端装置１０７に複数のセットトップボックス３が接続された構成としてもよい。
【００４９】
また、上記実施形態においては、関連情報がセットトップボックス３（またはテレビ受像器５）に関するステータス情報となっている構成を例示したが、この関連情報には、ステータス情報以外の情報を含めてもよい。
【００５０】
また、上記実施形態においては、ケーブルモデム部３０と放送受信部４０との間でのみ有効なローカルアドレスを設定することにより、両者間に仮想的なネットワークが形成された状態とするように構成されたものを例示した。しかし、この両者間に仮想的なネットワークを形成するための構成としては、ローカルアドレスを設定する以外の構成を採用することもできる。例えば、ＣＡＴＶセンタ１に至る経路で形成されたネットワークで用いられている通信規則とは別の通信規則（例えば、ＩＰｖ４が用いられている場合においてＩＰｖ６）を用いることにより、両者間に仮想的なネットワークが形成された状態とするといった構成を考えることができる。
【００５１】
また、上記実施形態においては、セットトップボックス３が、ケーブルモデム部３０と放送受信部４０とを一体化した装置とされている構成を例示したが、これらケーブルモデム部３０と放送受信部４０とを別体の装置、つまりケーブルモデム部３０をセットトップボックス３から独立させて、ケーブルモデム（ケーブルモデム部３０からなる）とセットトップボックス（放送受信部４０からなる）とにより構成してもよい。
【００５２】
この場合、図４に示すように、ケーブルモデム部３０からなるケーブルモデム３０ａにハブやルータなどの中継装置７を介して放送受信部４０からなるセットトップボックス４０ａを複数が接続された構成としてもよい。
（６）本発明との対応関係
以上説明した実施形態において、ブリッジ処理部１３０がブリッジ手段、ブリッジ処理部１３０のＲＦ受信部３１からの入力端が第１のポート、インターフェース部３７，３９、及び放送受信部４０への出力端が第２のポートに相当する。
【００５３】
また、ＣＭ処理部１３２がパケット処理手段、スヌープ処理部１３４がパケットキャプチャ手段、ＳＮＭＰプロシキ処理部１３６が、例外処理実行手段および振分手段に相当する。
【図面の簡単な説明】
【００５４】
【図１】ＣＡＴＶシステムの構成を示すブロック図
【図２】ケーブルモデム部の構成を示すブロック図
【図３】ＭＩＢの設定を示す説明図およびＣＡＴＶシステムの動作概要を示すシーケンス図
【図４】ＣＡＴＶシステムの他の構成を示すブロック図
【符号の説明】
【００５５】
１…ＣＡＴＶセンタ、３，４０ａ…セットトップボックス、５…テレビ受像器、７…中継装置、１０…ネットワーク管理部、１２…放送サービス管理部、１４…混合器、３０…ケーブルモデム部、３０ａ…ケーブルモデム、３１，４１…ＲＦ受信部、３３…ＲＦ送信部、３５…ＣＭ管理部、３７…ＬＡＮインターフェース部、３９…ＵＳＢインターフェース部、４０…放送受信部、４３…受信管理部、４５…映像／音声処理部、５０…混合／分波器、１０１…管理装置、１０３…ＤＨＣＰサーバ、１０５…ルータ、１０７…ケーブルモデム終端装置、１０９…ハブ、１３０…ブリッジ処理部、１３２…ＣＭ処理部、１３４…スヌープ処理部、１３６…ＳＮＭＰプロシキ処理部、Ｎ１…ＣＡＴＶ網、Ｎ２…インターネット。
【図１】
2007274574.tif 000003
【図２】
2007274574.tif 000004
【図３】
2007274574.tif 000005
【図４】
2007274574.tif 000006